(57)【要約】  少なくとも１つの物品５０を保持して壁又はパネルから提供する盗難抑止ブラケット１０は、上記物品の一部を受けるための少なくとも１つのソケット１２を備える。ケーシングは、ａ）上記ケーシング内に位置されるとともに、第１及び第２の形態を有するロック要素を備え、上記ロック要素が、第１の形態では上記物品上に位置される対応する要素と係合して上記ケーシング内で上記物品を保持して固定し且つ第２の形態では上記物品の上記対応する要素と係合しないように寸法付けられて形成されている、ロック手段２２と、ｂ）上記ロック手段を上記第２の形態へと移動させるように動作可能な解放手段６０と、ｃ）上記ロック手段及び上記解放手段に対して直接にアクセス又は干渉できないようにする保護手段２４，３２とを備える。ブラケットには、それをパネルに取り付けるための取付手段１７が設けられている。【選択図】図１
2008501392.tif 000002
【特許請求の範囲】
【請求項１】
少なくとも１つの物品を保持して壁又はパネルから提供する盗難抑止ブラケットであって、本体を備え、この本体が、当該本体を壁又はパネルに対して取り付けるための取付手段と、前記物品の一部を受けるための少なくとも１つのソケット及び硬質ケーシングとを有し、前記ソケットが、
ａ）前記ケーシング内に位置されるとともに、第１及び第２の形態を有する２つの同様のロック要素によって設けられ、前記ロック要素が、第１の形態では前記物品上に位置される対応する要素と係合して前記ケーシング内で前記物品を保持して固定し且つ第２の形態では前記物品の前記対応する要素と係合しないように寸法付けられて形成され、各ロック要素が、前記ケーシング上に弾性的に取り付けられるとともに、前記第１の形態と前記第２の形態との間で偏向可能なフラップ部材を備え、前記フラップ部材の先端にロック歯が位置されている、ロック手段と、
ｂ）前記ロック手段を前記第２の形態へと移動させるように動作可能な解放手段と、
ｃ）前記ロック手段及び前記解放手段に対して直接にアクセス又は干渉できないようにする保護手段と、
を備える盗難抑止ブラケット。
【請求項２】
前記ロック要素が前記ソケットの両側に設けられている、請求項１に記載のブラケット。
【請求項３】
前記ソケットが、前記物品の前記一部を密接嵌合関係で受けるように寸法付けられて形成された、フロントパネルと、バックパネルと、ボトムパネルと、２つの側壁パネルとを備える、請求項１又は２に記載のブラケット。
【請求項４】
前記解放手段が、前記ロック手段にアクセスできるようにするためにソケット内に位置された開口を含んでいる、請求項１〜３のいずれか一項に記載のブラケット。
【請求項５】
前記解放手段が傾斜接触面を備える、請求項１〜４のいずれか一項に記載のブラケット。
【請求項６】
前記保護手段が、前記開口内に設けられ且つ別個の鍵要素に設けられる相補的な形状と協働するように寸法付けられて形成された所定の形状を備える要素を備える、請求項４に記載のブラケット。
【請求項７】
一列に並べられた３つのソケットを備える、請求項１〜６のいずれか一項に記載のブラケット。
【請求項８】
前記取付手段が１つ以上のネジ穴を備え、各ネジ穴がソケット内又は複数のソケットのうちの１つのソケット内に位置されている、請求項１〜７のいずれか一項に記載のブラケット。
【請求項９】
硬質プラスチックにより形成されている、請求項１〜８のいずれか一項に記載のブラケット。
【請求項１０】
物品が救急用品の容器である、請求項１〜９のいずれか一項に記載のブラケット。
【請求項１１】
ハンドルと、請求項１〜１０のいずれか一項に記載のブラケットと協働するように寸法付けられて形成された少なくとも１つの細長いシャフトとを備える鍵要素。
【請求項１２】
２つの細長いシャフトを備える、請求項１１に記載の鍵要素。
【請求項１３】
各シャフトの先端にＶ形状溝を備える、請求項１１又は１２に記載の鍵要素。
【請求項１４】
請求項１〜１０のいずれか一項に記載のブラケットと、請求項１１〜１３のいずれか一項に記載の鍵要素とを備えるブラケット及び鍵アセンブリ。
【発明の詳細な説明】
【技術分野】
【０００１】
本発明は、物品の盗難を防止し又は抑止するように壁パネル又は壁などのパネル上に少なくとも１つの物品を保持して提供するためのブラケットに関する。本発明は、特に、絆創膏などの救急材料を収容する物品の保持及び提供に適用できるが、それに限らない。
【背景技術】
【０００２】
安全衛生規定を受けて、現在、一部の地方では、従業員のために職場に救急用品を準備することが義務的である。これらの救急用品は、医療において必要な場合に或いは非常時に使用されなければならず、通常、自由に利用できる。これらの物品の一部、例えば絆創膏は、通常、大きな容器（すなわち、救急箱）の中に安全に保管される作り付けの箱に備えられている。しかしながら、職場で行なわれる仕事が事実上殆ど手を使うものである場合には、頻繁に軽い傷が生じる場合があり、そのため、このような基本的な救急用品に対して迅速且つ容易にアクセスできるようにすることが望ましい。特に、このような物品の小さな箱を壁掛け式のブラケットに設けることは知られている。物品の箱が空になると、ブラケットから箱が取り除かれ、救急用品が全て揃った新たな箱と交換される。
【０００３】
絆創膏などの小さな物品を自由に陳列する際に直面する問題の１つは盗難である。
【０００４】
このような盗難を減らすことで知られる１つの解決策は、絆創膏などの滅菌包装された物品をそれらの容器内に取り外し不可能に固定し、それにより、１つの物品を手に入れるためには、物品の個々の滅菌包装紙の一部を引き裂かなければならなくなるようにすることである。これは、物品を直ちに使用しなければならない場合には効果がないが、直ぐに必要な数以上の物品を人がとろうとすることを防止する。このような装置は、米国特許第６，０５０，４１３号に記載されている。
【０００５】
このような装置は、個々の物品の盗難を防止するのに有効であるが、陳列しているブラケットから物品の箱全体を盗み取ることを防止しない。これは、このような箱を繰り返し交換するコストがかかるため望ましくないだけでなく、救急用品を必要な時に利用できない場合もあることから、安全上の理由からも望ましくない。
【０００６】
また、鎖及び南京錠を使用することによって物品の箱をブラケットに固定することも考えられる。この方法は、幾つかの理由により十分ではない。第１に、鎖及び南京錠は、高価であり、使用者が別々に購入しなければならない。また、南京錠の鍵を不注意で失くしてしまった場合には、鎖及び／又は南京錠が強制的に切り開かれるまで、空の箱がブラケットに固定されたままになる。また、このような装置の陳列は、信用が無いと受け取られる可能性があり、従業員のやる気を低下させるため、従業者に対して悪い心理的効果を与える場合がある。したがって、盗難抑止ブラケットは、目立たない態様で設けられるとともに、人が物品の箱をその保持ブラケットから取り除こうとする時にだけ明らかとなることが有益である。
【発明の開示】
【発明が解決しようとする課題】
【０００７】
したがって、物品のこのような箱を保持ブラケットから許可無く持ち出すことを防止するための装置が必要である。このような装置は、保護されるべき物品が何ら特別な価値が無い場合には、低コストで且つあまりメンテナンスが必要ないものでなければならない。言うまでも無く、本発明の目的のうちの１つは、通りがかりの人が物品を簡単に手に入れることを抑止するように形成された盗難防止ブラケットを提供することである。しかしながら、本発明の目的は、安全性が高い装置を提供することではなく、単に、時折生じる盗みが抑止されるように箱の取り外しを困難にすることである。
【課題を解決するための手段】
【０００８】
本発明の目的は、少なくとも１つの物品を保持して壁又はパネルから提供する盗難抑止ブラケットである。本発明に係るブラケットは、本体を備え、この本体は、当該本体をパネルに対して取り付けるための取付手段と、上記物品の一部を受けるための少なくとも１つのソケット及び硬質ケーシングとを有する。上記ソケットは、
ａ）上記ケーシング内に位置されるとともに、第１及び第２の形態を有するロック要素を備え、上記ロック要素が、第１の形態では上記物品上に位置される対応する要素と係合して上記ケーシング内で上記物品を保持して固定し且つ第２の形態では上記物品の上記対応する要素と係合しないように寸法付けられて形成されている、ロック手段と、
ｂ）上記ロック手段を上記第２の形態へと移動させるように動作可能な解放手段と、
ｃ）上記ロック手段及び上記解放手段に対して直接にアクセス又は干渉できないようにする保護手段と、
を備える。
【０００９】
上記ロック手段は、好ましくはソケットの両側に設けられている２つの同様のロック要素によって与えられることが有益である。また、各ロック要素が上記ケーシング上に弾性的に取り付けられていることが好ましい。また、各ロック要素は、上記第１の形態と上記第２の形態との間で偏向可能なフラップ部材を備えることが好ましい。フラップ部材の先端にはロック歯が位置されていることが有益である。フラップ部材の方向は、上記物品をソケットから強制的に取り除こうとする相当な試みがフラップの偏向を引き起こさないような方向である。
【００１０】
好ましくは、ソケットは、物品の一部を密接嵌合関係で受けるように寸法付けられて形成された、フロントパネルと、バックパネルと、ボトムパネルと、２つの側壁パネルとを備える。
【００１１】
また、解放手段は、上記ロック手段にアクセスできるようにするためにソケット内に位置された開口を含んでいることが好ましい。解放手段が傾斜接触面を備えていてもよい。
【００１２】
保護手段は、上記開口内に設けられ、且つ別個の鍵要素に設けられる相補的な形状と協働するように寸法付けられて形成された所定の形状を備える要素を備えることが好ましい。
【００１３】
特に好ましい実施形態において、本発明のブラケットは、一列に並べられた３つのソケットを備える。
【００１４】
また、好ましくは、取付手段が１つ以上のネジ穴を備え、各ネジ穴がソケット内又は複数のソケットのうちの１つのソケット内に位置されている。
【００１５】
本発明のブラケットは、硬質プラスチックにより有利に形成されていてもよい。
【００１６】
本発明のブラケットは、特に、救急用品の１つ以上の容器を保持するように形成されている。
【００１７】
本発明の他の目的は、ハンドルと、前述した本発明のブラケットと協働するように寸法付けられて形成された少なくとも１つの細長いシャフトとを備える鍵要素である。２つのこのような特徴の係合を同時に外すために、鍵要素は２つの細長いシャフトを備えることが有益である。また、鍵要素は、各シャフトの先端にＶ形状溝を備えることが好ましい。
【００１８】
本発明の更に他の目的は、前述したブラケットと鍵要素とを備えるブラケット及び鍵アセンブリ又はキットである。
【発明を実施するための最良の形態】
【００１９】
以下、図面を参照しながら、本発明の一実施形態を単なる一例として説明する。
【００２０】
本発明のブラケット及び鍵は、容易に変形でき、又は打ち砕くことができる強力な或いは硬質なプラスチック材料、例えばアクリロニトリル・ブタジエン・スチレン（ＡＢＳ）によって形成されるのが都合良い。都合良く、鍵は、その低摩擦特性により鍵の挿入を容易にし且ついずれかの部品の摩耗の可能性を減らすアセタール（ＰＯＭ）により形成されてもよい。両方の要素は、成形などの従来の技術にしたがって製造することができ、それぞれが単一要素であると都合良い。
【００２１】
図１にはブラケット１０が最も良く示されている。本発明の好ましい変形例において、ブラケット１０は、３つの別個の容器５０を並べて保持するように形成されており、３つの別個の同様のソケット１２の列を備える。図１は、ブラケット１０内に保持される１つのこのような容器５０を示している。この構成は、絆創膏や洗浄ティッシュなどの最も一般的に頻繁に必要とされる救急用品の組み合わせを陳列するのに特に適している。救急用品には、水平ヒンジ５４の周りで回動可能なフロントドアパネル５２などのブラケットにより影響されない手段によってアクセスできる。
【００２２】
図３に最も良く示されるように、各ソケット１２は、ボトムパネル１４と、バックパネル１６と、フロントパネル１８と、２つのサイドパネル２０とを有している。ソケット１２の全体のサイズ及び形状は、容器５０の底部を密に嵌合するように形成されるのが都合良い。このような密接嵌合構成は、容器５０が上方以外の任意の方向に移動することを防止するため都合良い。バックパネル１６は、ブラケット１０を壁に取り付けることができるようにするためのネジ穴１７を備える。無論、ブラケット１０を壁面などの表面に対して固定する他の周知の手段も本発明に含まれるが、ブラケット１０が使用中で且つ容器５０を陳列しているときに、このような手段が隠れてしまい、又はこのような手段にアクセスすることが難しくなるように当該手段を位置させることが有益である。したがって、この特定の実施形態において、ネジ穴１７は、ソケット１２内に位置される際の容器５０によってブラケット１０を固定するネジが隠されるようにバックパネル１６に位置されている。
【００２３】
ソケット１２の内部の両側には、２つの同一のロック手段２２が位置されている。図４から最も良く分かるように、サイドパネル２０上にはロックフラップ２４が取り付けられている。フラップ２４は弾性的に取り付けられている。この特定の実施形態においては、逆Ｌ字形状のフラップ２４と組み合わせて使用される材料（硬質プラスチック）の特性により、フラップ２４の先端は、それが接続されるサイドパネル２０の方向で内側に偏向して歪むことができる。しかしながら、バネなどの他の弾性手段も使用できる。フラップ２４には、突出するロック歯２６が設けられている。ロック歯２６は、小さな容器５０の側部に設けられた小さな凹部５６内に係合するように寸法付けられて形成されている。また、ロック歯２６には、上端傾斜面２８が設けられている。容器５０がソケット１２内に挿入されると、容器５０の底部が面２８と接触するとともに、傾斜により、この面２８に対して直交する（又は、横方向の）力が加えられ、弾性的に取り付けられたフラップ２４が偏向して容器５０の底部から離れる。容器５０の凹部５６がロック歯２６に対向すると、上記歯２６が凹部５６内に係合し、フラップ２４がその休止位置に戻る（図５参照）。
【００２４】
容器５０が上方に持ち上げられる場合、ソケット１２の両側に設けられたロック歯２６は、容器５０の凹部５６によって形成される張り出し部に当接して、それ以上の移動を防止する。
【００２５】
容器５０をソケット１２から解放するために、鍵要素６０が設けられている。この鍵要素は、ロック要素２２を第１のロック位置から第２の（偏向）位置へと移動させて容器５０をケーシング１２から解放するように寸法付けられて形成されている。この実施形態において、フラップ２４の偏向は、フラップ２４上に解放要素３１を設けることにより容易となる。解放要素３１上には、フラップ２４の一部に接続され好ましくはフラップ２４の一部と一体の傾斜面３２が設けられている。傾斜面３２はフラップ２４から上方外側に突出しており、それにより、この面３２に及ぼされる垂直上向きの力が、フラップ２４を直交方向（又は、横方向）に偏向させて容器５０から離間させることにより容器を解放させる直交成分を有するようになっている。この特定の配置において、鍵要素６０は、ソケット１２のボトムパネル１４に設けられた開口３０を通過することによりフラップ２４にアクセスしてフラップ２４を偏向できる細長いシャフト６２を備える。ソケット１２には２つの対称なロック要素２２が有利に設けられているため、図７に最も良く示されるように、鍵要素６０は、２つの対称なシャフト６２を備えて全体がフォークの形状を成すことができる。操作を容易にするため、鍵要素６０にはハンドル６６が有利に設けられている。
【００２６】
なお、ブラケット１０の両側にロック手段２２を設ける結果として、容器５０を解放するために両方のロック要素２２に対して同時に偏向作用を加えなければならなくなる。この特徴は、それだけでは、両方のロック要素２２の協調した偏向に依存するため、適当な器具が無ければ容器５０の除去を難しくする。
【００２７】
鉛筆やネジ回しなどの適切なサイズの任意の細長い器具や材料片を使用することにより容器５０が解放されることを回避するため、ロック要素２２へのアクセス及びロック要素２２の偏向の困難性を増大させるための保護手段が設けられる。保護手段は、特定の所定の形状を有する器具を除きロック要素２２の偏向部分（この場合には、フラップ２４の下側部分）、特に傾斜面３２へのアクセスを阻止するためにロック要素２２上に設けられている。
【００２８】
図３及び図４から分かるように、この特定の実施形態において、阻止手段は、傾斜面３２上に都合良く設けられた三角形状の突出部７２を備える。両方の要素３２，７２はロック要素２２に対して接続されている。無論、それらの要素の特定の寸法は、それらが容器５０と密接（或いは、単に接触）できるが上記容器５０の位置決めを妨げず或いはロック手段２２の係合が外れるときの上記容器５０の除去を妨げないように決定される。
【００２９】
なお、解放要素の上面３４及び三角形突出部７２の下面７４の両方は、ロックフラップ２４から略垂直に突出している。したがって、適切な器具を用いることなく解放要素３１にアクセスしようとすると、上記上面３４に下向きの力が加わり、或いは、下面７４に上向きの力が加わる。これでは、このような力がフラップ２４を偏向させるために必要な十分な横方向の力成分を及ぼさないため、フラップ２４が偏向しない。
【００３０】
実際には、突出部７２（容器の壁も）が開口３０の（少なくとも一部の）内側形状を決定する。開口３０を通じて傾斜解放面３２にアクセスするため、シャフト６２の端部には相補的形状が設けられなければならない。この特定のケースにおいて、対応する形状はＶ形状溝６４である。
【００３１】
突出するロック歯３４により容器５０がソケット１２内にロックされると、解放要素３１には開口３０を通じてのみアクセスできる。容器５０を解放するため、鍵要素６０がブラケット１０の真下に位置されて上方に持ち上げられ、それにより、細長いシャフト６２の形状付き端部が三角形突出部７２及び傾斜解放面３２と位置合わせされるとともに三角形突出部７２及び傾斜解放面３２に沿ってスライドされる。解放面３２に設けられた角度により、両方のシャフト６２の上向きの動きがフラップ２４を横方向に偏向させ、それにより、両方のロック歯３４の係合が外れて容器５０が解放され、容器をソケット１２から除去することができる。
【００３２】
言うまでもなく、本発明の装置は、誰にでも使える盗難防止装置としてよりも、抑止手段としての機能を果たしている。例えば、ブラケットは、一般にプラスチックで作られているため、ブラケット１０のロック装置２２を破壊し或いは損傷させることができる十分な大きさの力を及ぼすことにより、容器５０をブラケット１０から強制的に取り外すことができる。或いは、鍵要素６０の模造品を設計することもできる。しかしながら、このブラケットが保持するようになっている低コストの容器すなわち救急用品を手に入れるためにそこまでする人は事実上殆どいないと考えられる。したがって、本発明の目的は、容器又は容器が提供しようとしている対象物の直接的な除去を防止する簡単で低コストのブラケット−鍵アセンブリを提供することである。
【００３３】
救急用品の小さなボックスに関して特に説明してきたが、他の種類の物品を固定するために本発明のブラケット及び鍵が使用されてもよいことは言うまでもない。
【００３４】
明細書中の実施形態は、本発明の実施形態の例示を与えており、本発明の範囲を限定するように解釈されるべきではない。当業者であれば容易に分かるように、多くの他の実施形態が本発明に包含される。ここに引用された文献の関連する開示内容は、参照として明確に本明細書に組み込まれる。
【図面の簡単な説明】
【００３５】
【図１】ブラケットと上記ブラケット内に挿入された取り外し鍵とを備える本発明に係る装置の上から見た斜視図である。
【図２】下から見た図１の装置を示している。
【図３】図１のＡ−Ａ線で部分的に切断した図１のブラケット（鍵及び容器は示されていない）の一部の拡大斜視図である。
【図４】図１のＢ−Ｂ線に沿う図１のブラケット（鍵及び容器は示されていない）の部分断面図である。
【図５】Ｃ−Ｃ線に沿う図１のブラケット及び容器（挿入前の鍵が示されている）の部分断面図である。
【図６】Ｄ−Ｄ線に沿う図１のブラケット（鍵が部分的に挿入されている）の部分断面図である。
【図７】鍵の斜視図である。
【図１】
2008501392.tif 000003
【図２】
2008501392.tif 000004
【図３】
2008501392.tif 000005
【図４】
2008501392.tif 000006
【図５】
2008501392.tif 000007
【図６】
2008501392.tif 000008
【図７】
2008501392.tif 000009
【国際調査報告】
2008501392.tif 000010
2008501392.tif 000011
2008501392.tif 000012